(57)【要約】【課題】クリーニング仕上がり品の数量にかかわらず、クリーニング仕上がり品を型くずれさせることなく容易に持ち運ぶ。【解決手段】シート材５は、シート材５の一端部から、ハンガー支持部材６に引っ掛けられるハンガー８に衣類９が吊り下げられた方向に延在され、延在方向の中央で折り返して延在方向の両端部が重ね合わされる折り返し片１１を有する。シート材５は、折り返し片１１の延在方向に交差する両側に設けられ、折り返し片１１に載せられたクリーニング仕上がり品に重ね合わされる一対の重ね合わせ片１２ａ，１２ｂと、一対の重ね合わせ片１２ａ，１２ｂに設けられ、重ね合わされた一対の重ね合わせ片１２ａ，１２ｂを互いに固定する面ファスナ１３と、を有する。一対の重ね合わせ片１２ａ，１２ｂは、シート材５によって包み込むクリーニング仕上がり品３の数量に応じて、面ファスナ１３による固定位置が調整可能に構成されている。【選択図】図１
2011030878.tif 000002
【特許請求の範囲】
【請求項１】
洗濯済み衣類及び該衣類が吊り下げられるハンガーを含むクリーニング仕上がり品を包み込むシート材と、
前記シート材の一端部に設けられ、前記シート材に包み込まれる前記クリーニング仕上がり品の前記ハンガーが引っ掛けられるハンガー支持部材と、を備え、
前記シート材は、
前記シート材の前記一端部から、前記ハンガー支持部材に引っ掛けられる前記ハンガーに前記衣類が吊り下げられた方向に延在され、前記延在方向の中央で折り返して前記延在方向の他端部が前記一端部に重ね合わされる折り返し片と、
前記折り返し片の前記延在方向に交差する両側に設けられ、前記折り返し片に載せられた前記クリーニング仕上がり品を包むように重ね合わされる一対の重ね合わせ片と、
前記一対の重ね合わせ片に設けられ、重ね合わされた前記一対の重ね合わせ片を互いに固定する面ファスナと、を有し、
前記一対の重ね合わせ片は、前記シート材によって包み込む前記クリーニング仕上がり品の数量に応じて、前記面ファスナによる固定位置が調整可能に構成されている、衣類搬送用具。
【請求項２】
前記一対の重ね合わせ片は、前記折り返し片の前記延在方向と交差する方向に対して前記固定位置が調整可能に構成されている、請求項１に記載の衣類搬送用具。
【請求項３】
前記一対の重ね合わせ片は、前記シート材の前記一端部から、前記折り返し片が折り返される前記延在方向の中央の位置に亘って形成されている、請求項１又は２に記載の衣類搬送用具。
【請求項４】
前記シート材の前記一端部及び前記他端部には、一対の手提げ部材がそれぞれ設けられている、請求項１ないし３のいずれか１項に記載の衣類搬送用具。
【請求項５】
前記シート材は、布材からなり、前記シート材の内側に帯電防止手段が設けられている、請求項１ないし４のいずれか１項に記載の衣類搬送用具。
【請求項６】
前記ハンガー支持部材には、複数の前記ハンガーがそれぞれ係合される複数の係合部が形成されている、請求項１ないし５のいずれか１項に記載の衣類搬送用具。
【請求項７】
前記ハンガー支持部材には、剛性を有する取っ手部が設けられている、請求項１ないし６のいずれか１項に記載の衣類搬送用具。
【発明の詳細な説明】
【技術分野】
【０００１】
本発明は、クリーニング仕上がり品を収容して持ち運ぶための衣類搬送用具に関する。
【背景技術】
【０００２】
従来、クリーニング店では、例えばドライ−クリーニングなどで洗濯が行われた衣類が、ハンガー部材に吊り下げられてビニール製の包装材で包まれたクリーニング仕上がり品の形態で、利用者に返却されている。
【０００３】
このため、クリーニング店では、クリーニング仕上がり品を収容する持ち帰り用袋を用意する必要がある。また、クリーニング店では、利用者が持ち帰るクリーニング仕上がり品の数量に応じて、複数種類の大きさの持ち帰り用袋を用意する場合もあり、これらの持ち帰り用袋の管理が煩わしく、コストが嵩んでいる。
【０００４】
一般に、クリーニング店が提供する持ち帰り用袋は、樹脂フィルムによって形成されている場合が多く、樹脂フィルムに形成された貫通穴によって手提げ部分が構成されており、持ち帰り用袋が破損し易い。特に持ち帰り用袋を利用して多数のクリーニング仕上がり品を持ち帰る場合には、幅狭の手提げ部分に重量が集中し、利用者の指先が圧迫され、持ち運び時が負担になっている。
【０００５】
このような状況や、近年の自然環境への配慮から、利用者は、手提げバッグや紙袋などの収容袋をクリーニング店に持参し、クリーニング店が用意する持ち帰り用袋を利用せずに、クリーニング仕上がり品を持ち帰る場合が増えつつある。
【先行技術文献】
【特許文献】
【０００６】
【特許文献１】特開平１０−２９５４２４号公報（図１）
【発明の概要】
【発明が解決しようとする課題】
【０００７】
しかしながら、利用者は、クリーニング仕上がり品を持ち帰る際に、収容袋に収容されるクリーニング仕上がり品の数量に相当する体積に応じた大きさの収容袋をその都度用意することが困難である。このため、クリーニング仕上がり品の数量と、収容袋の大きさとが釣り合っていない場合には、収容袋内にクリーニング仕上がり品が無理に押し込まれたり、持ち運び時にクリーニング仕上がり品が収容袋内の空きスペースで移動したりすることで、クリーニング仕上がり品が崩れてしまう、いわゆる型くずれが生じてしまう。特に、ビニール製の包装材で包まれたクリーニング仕上がり品は、包装袋の摩擦抵抗が小さく、滑り易いので、収容袋内に収容された位置が安定しないので、型くずれが生じ易い。したがって、収容袋を使ってクリーニング仕上がり品を持ち帰る場合には、クリーニング仕上がり品にシワを生じさせてしまうおそれがあった。
【０００８】
このため、利用者は、クリーニング仕上がり品の型くずれを防ぐために、収容袋に収容されたクリーニング仕上がり品のハンガー部材を指先に引っ掛けることで、収容袋内のクリーニング仕上がり品の移動を防ぎながら持ち運ぶ場合もある。特に複数のクリーニング仕上がり品を持ち運ぶ場合には、利用者の指先に複数のハンガー部材を引っ掛けることになるので、利用者の指先への負担が大きく、クリーニング仕上がり品の数量が増えるのに伴って負担が大きくなる問題があった。
【０００９】
また、本発明に関連する収容袋として、特許文献１には、クリーニング仕上がり品を収容部内で移動しないように収容することが可能な衣類用の通いバッグが開示されている。しかしながら、この衣類用の通いバッグは、クリーニング仕上がり品が収容された収容部がファスナによって閉じられるように構成されており、収容部の大きさが一定である。このため、収容部に収容されるクリーニング仕上がり品の数量が増えた場合には、型くずれが生じ、クリーニング仕上がり品にシワが生じるおそれがある。
【００１０】
加えて、この衣類用の通いバッグは、収容部が折り畳まれた状態で、クリーニング仕上がり品が有するハンガー部材が衣類と共に内側に折り込まれてしまう。このため、ハンガー部材によってクリーニング仕上がり品にシワを付けてしまうおそれがある。特に、収容部に収容されるクリーニング仕上がり品の数量が増えた場合には、複数のハンガー部材によって衣類にシワが生じ易いという問題がある。
【００１１】
そこで、本発明は、上述した課題のいずれかを解決し、クリーニング仕上がり品の数量にかかわらずに、クリーニング仕上がり品が型くずれすることを防ぎ、クリーニング仕上がり品を容易に持ち運ぶことを可能とする衣類搬送用具を提供することを目的とする。
【課題を解決するための手段】
【００１２】
上述した目的を達成するため、本発明に係る衣類搬送用具は、洗濯済み衣類及び衣類が吊り下げられるハンガーを含むクリーニング仕上がり品を包み込むシート材と、シート材の一端部に沿って設けられクリーニング仕上がり品のハンガーが引っ掛けられるハンガー支持部材と、を備える。シート材は、シート材の一端部から、ハンガー支持部材に引っ掛けられるハンガーに衣類が吊り下げられた方向に延在され、延在方向の中央で折り返して延在方向の両端部が重ね合わされる折り返し片を有する。また、シート材は、折り返し片の延在方向に交差する両側に設けられ、折り返し片に載せられたクリーニング仕上がり品に重ね合わされる一対の重ね合わせ片と、一対の重ね合わせ片に設けられ、重ね合わされた一対の重ね合わせ片を互いに固定する面ファスナと、を有する。そして、一対の重ね合わせ片は、シート材によって包み込むクリーニング仕上がり品の数量に応じて、面ファスナによる固定位置が調整可能に構成されている。
【００１３】
以上のように構成した本発明に係る衣類搬送用具によれば、シート材で包み込むクリーニング仕上がり品の数量に応じて、一対の重ね合わせ片が面ファスナによって固定される固定位置が調整されることで、シート材による収容部分が、包み込まれるクリーニング仕上がり品の体積に応じた大きさに調整される。このため、シート材で包み込まれたクリーニング仕上がり品は、一対の重ね合わせ片と折り返し片とによってしっかりと保持されるので、持ち運び時にクリーニング仕上がり品が型くずれすることが防止される。したがって、クリーニング仕上がり品の衣類にシワが生じることが防止される。また、この衣類搬送用具では、シート材にクリーニング仕上がり品が包み込まれた状態で、クリーニング仕上がり品のハンガーがハンガー支持部材に引っ掛けられることで、シート材で包まれたクリーニング仕上がり品の移動が規制される。また、衣類搬送用具は、シート材にクリーニング仕上がり品が包み込まれた状態で、ハンガーがハンガー支持部材に引っ掛けられているので、ハンガーが衣類に押し付けられるのが抑えられ、衣類にシワが生じることが防止される。
【発明の効果】
【００１４】
本発明によれば、クリーニング仕上がり品の数量に応じて、シート材の収容部分の大きさが調整されるので、クリーニング仕上がり品の数量にかかわらずに、クリーニング仕上がり品を型くずれさせることなく容易に持ち運ぶことができる。
【図面の簡単な説明】
【００１５】
【図１】実施形態の衣類搬送用具を内側から示す平面図である。
【図２】実施形態の衣類搬送用具を外側から示す平面図である。
【図３】実施形態の衣類搬送用具の折り畳み状態を説明するための斜視図である。
【図４】実施形態の衣類搬送用具の折り畳み状態を説明するための斜視図である。
【図５】実施形態の衣類搬送用具の折り畳み状態を説明するための斜視図である。
【図６】実施形態の衣類搬送用具の折り畳み状態を説明するための斜視図である。
【図７】実施形態の衣類搬送用具にクリーニング仕上がり品が収容された状態を示す斜視図である。
【発明を実施するための形態】
【００１６】
以下、本発明の具体的な実施形態について、図面を参照して説明する。
【００１７】
図１に、実施形態の衣類搬送用具の内側から見た平面図を示す。図２に、実施形態の衣類搬送用具を外側から見た平面図を示す。
【００１８】
図１及び図２に示すように、実施形態の衣類搬送用具１は、クリーニング仕上がり品３を包み込むシート材５と、クリーニング仕上がり品３のハンガーが引っ掛けられるハンガー支持部材６と、を備える。クリーニング仕上がり品３は、図３に示すように、洗濯済み衣類７と、この衣類７が吊り下げられるハンガー８と、衣類７全体を包む包装材９と、を含んでなる。ハンガー支持部材６は、シート材５の一端部に沿って設けられており、シート材５に包み込まれるクリーニング仕上がり品３のハンガー８が引っ掛けられる。
【００１９】
シート材５は、例えば布材によって形成されており、シート材５の一端部から、ハンガー支持部材６に引っ掛けられるハンガー８に衣類７が吊り下げられた方向に延在された折り返し片１１を有している。折り返し片１１は、図１中矢印Ｘ方向である延在方向の中央で折り返して延在方向の他端部が一端部に重ね合わされることで、クリーニング仕上がり品３を包む。
【００２０】
また、シート材５は、折り返し片１１に載せられたクリーニング仕上がり品３に重ね合わされる一対の重ね合わせ片１２ａ，１２ｂと、一対の重ね合わせ片１２ａ，１２ｂが重ね合わされた位置にこれら重ね合わせ片１２ａ，１２ｂを固定する面ファスナ１３と、を有している。
【００２１】
一対の重ね合わせ片１２ａ，１２ｂは、折り返し片１１の延在方向に交差する両側にそれぞれ設けられている。一対の重ね合わせ片１２ａ，１２ｂの折り返し片１１と連結された基端部には、図１に示すように、シート材５によって包み込むクリーニング仕上がり品３の数量に応じて、面ファスナ１３による固定位置をＹ方向に対して調整するための位置調整用のマチ部分１４ａ，１４ｂが設けられている。このマチ部分１４ａ，１４ｂのＹ方向の長さ分だけ、一対の重ね合わせ片１２ａ，１２ｂは、Ｙ方向に対する固定位置を容易に調整することが可能にされている。
【００２２】
また、一対の重ね合わせ片１２ａ，１２ｂは、ハンガー支持部材６が配置された折り返し片１１の一端部から、折り返し片１１が折り返されるＸ方向の中央の位置に亘って形成されている。
【００２３】
このように構成されることで、一対の重ね合わせ片１２ａ，１２ｂと、折り返し片１１とでクリーニング仕上がり品３全体を包むことが可能になる。また、一対の重ね合わせ片１２ａ，１２ｂがこのように形成されることで、重ね合わせ片の端部が、折り返し片１１を折り返す折り返し位置の目安になるので、折り返し片１１を円滑に折り返すことができる。
【００２４】
面ファスナ１３は、図１及び図２に示すように、一対の重ね合わせ片１２ａ，１２ｂの所定の位置にそれぞれ設けられている。また、図２に示すように、一方の重ね合わせ片１２ａの外側に設けられた面ファスナ１３ａは、一対の重ね合わせ片１２ａ，１２ｂの固定位置を、折り返し片１１の延在方向と交差する図２中Ｙ方向に対して調整可能とする面積を有している。また、面ファスナ１３は、図１に示すように、折り返し片１１の延在方向の他端部にそれぞれ設けられている。
【００２５】
そして、一対の重ね合わせ片１２ａ，１２ｂは、シート材５によって包み込むクリーニング仕上がり品３の数量に応じて、面ファスナ１３による固定位置がＹ方向に対して調整可能に構成されている。言い換えれば、シート材５は、クリーニング仕上がり品３の体積に応じて、Ｙ方向に対する固定位置が調整可能に構成されている。
【００２６】
また、ハンガー支持部材６は、例えば樹脂材料等によって剛性を有する円筒状に形成されており、長手方向の中央部近傍に、複数のハンガー８がそれぞれ係合される複数の係合部２１が形成されている。また、ハンガー支持部材６には、必要に応じて、剛性を有する取っ手部（不図示）が設けられてもよい。
【００２７】
また、シート材５が有する折り返し片１１の延在方向の一端部及び他端部には、一対の手提げ部材１５がそれぞれ設けられている。手提げ部材１５は、紐状の可撓性を有する材料によって形成されており、手提げ部材１５の両端が折り返し片１１に固定されている。
【００２８】
また、シート材５が布材によって形成されているので、シート材５と、クリーニング仕上がり品３の樹脂製の包装材９との間で静電気が発生し、糸くずや塵が吸着されるおそれがある。そのため、シート材５の内側には、シート材５とクリーニング仕上がり品３の包装材９との間で発生する静電気を防止するための帯電防止手段としての帯電防止剤が塗布されている。また、シート材５の内側には、帯電防止シート（不図示）が取り付けられてもよい。
【００２９】
また、シート材５は、必要に応じて外側の表面に撥水加工が施されることで、水分の滲入が防止されてもよい。また、シート材５の外側に撥水性を有する樹脂シート（不図示）が取り付けられてもよい。
【００３０】
以上のように構成された衣類搬送用具１について、シート材５によってクリーニング仕上がり品３を包み込むための動作を説明する。
【００３１】
図３に、衣類搬送用具１の折り返し片１１にクリーニング仕上がり品３が載せられた状態の斜視図を示す。図４に、衣類搬送用具１の一方の重ね合わせ片１２ａが折り返された状態の斜視図を示す。図５に、衣類搬送用具１の一対の重ね合わせ片１２ａ，１２ｂが互いに重ね合わされた状態の斜視図を示す。図６に、衣類搬送用具１の折り返し片１１が折り返される状態の斜視図を示す。図７に、衣類搬送用具１の内部にクリーニング仕上がり品３が収容された状態の斜視図を示す。
【００３２】
まず、衣類搬送用具１は、図３に示すように、シート材５が展開された状態で、シート材５の上にクリーニング仕上がり品３が載せられる。このとき、クリーニング仕上がり品３は、シート材５のハンガー支持部材６にハンガー８が引っ掛けられて、シート材５の折り返し片１１の上に載せられる。
【００３３】
次に、図４に示すように、一方の重ね合わせ片１２ａを基端部で折り返し片１１に向けて折り返し、折り返し片１１の上に載せられたクリーニング仕上がり品３の上に載せる。続いて、図５に示すように、他方の重ね合わせ片１２ｂを基端部で折り返し片１１に向けて折り返し、クリーニング仕上がり品３の上の一方の重ね合わせ片１２ａに重ね合わされる。このとき、他方の重ね合わせ片１２ｂは、折り返し片１１に載せられたクリーニング仕上がり品３の数量に応じて、一方の重ね合わせ片１２ａに対してＹ方向の固定位置が調整され、面ファスナ１３によって固定される。
【００３４】
このように、シート材５によって包まれるクリーニング仕上がり品３の数量に相当する体積に応じて、一対の重ね合わせ片１２ａ，１２ｂの固定位置が、面ファスナ１３によって容易かつ確実に調整されて、クリーニング仕上がり品３の体積に最適な位置に固定される。言い換えれば、シート材５によって構成される収容部分が、包み込まれるクリーニング仕上がり品３の体積に応じた大きさに調整される。このため、シート材５で包み込まれたクリーニング仕上がり品３は、一対の重ね合わせ片１２ａ，１２ｂと折り返し片１１とによってしっかりと保持されるので、持ち運び時にクリーニング仕上がり品３が型くずれすることが防止される。したがって、クリーニング仕上がり品３の衣類７にシワが生じることを防止できる。
【００３５】
最後に、図６に示すように、クリーニング仕上がり品３が載せられたシート材５の折り返し片１１をＸ方向の中央の位置で折り返し、折り返し片１１のＸ方向の一端部に向けて他端部を起こして、折り返し片１１のＸ方向の両端部を重ね合わさせる。折り返し片１１は、Ｘ方向の両端部が重ね合わされたときに、一対の重ね合わせ片１２ａ，１２ｂの各面ファスナ１３と、折り返し片１１の各面ファスナ１３とがそれぞれ当接し、各面ファスナ１３によって固定される。そして、衣類搬送用具１は、折り返し片１１の両端部が重ね合わされることで、一対の手提げ部材１５によって持ち運び可能な手提げ鞄の形態になる。
【００３６】
上述したように、衣類搬送用具１によれば、シート材５が有する一対の重ね合わせ片１２ａ，１２ｂの固定位置が、シート材５によって包み込むクリーニング仕上がり品３の数量に応じて調整可能に構成されていることによって、クリーニング仕上がり品３の数量にかかわらずに、持ち運び時にクリーニング仕上がり品３を型くずれさせることなく、衣類９にシワが生じることを防止できる。
【００３７】
また、この衣類搬送用具１では、シート材５にクリーニング仕上がり品３が包み込まれた状態で、クリーニング仕上がり品３のハンガー８がハンガー支持部材６に引っ掛けられているので、シート材５で包まれたクリーニング仕上がり品３の移動が規制される。これによって、持ち運び時にクリーニング仕上がり品３が型くずれすることが更に防止することができる。
【００３８】
また、衣類搬送用具１は、シート材５にクリーニング仕上がり品３が包み込まれた状態で、ハンガー８がハンガー支持部材６に引っ掛けられているので、ハンガー８が衣類９に押し付けられることが抑えられ、衣類９にシワが生じることを防止できる。
【００３９】
なお、本発明に係る衣類搬送用具は、クリーニング仕上がり品の持ち運び用に好適であるが、クリーニング仕上がり品以外の衣類を搬送するために用いられてもよいことは勿論である。
【符号の説明】
【００４０】
１  衣類搬送用具
３  クリーニング仕上がり品
５  シート材
６  ハンガー支持部材
７  衣類
８  ハンガー
９  包装材
１１  折り返し片
１２ａ  第１の重ね合わせ片
１２ｂ  第２の重ね合わせ片
１３（１３ａ）  面ファスナ
１５  手提げ部材
【図１】
2011030878.tif 000003
【図２】
2011030878.tif 000004
【図３】
2011030878.tif 000005
【図４】
2011030878.tif 000006
【図５】
2011030878.tif 000007
【図６】
2011030878.tif 000008
【図７】
2011030878.tif 000009